(57)【要約】【課題】紛失したゲストカードが使用される危険性を低減する。【解決手段】端末装置１１は、ゲストカード１３を紛失して再発行されたときに、その再発行されたゲストカード１３が使用可能な電気錠装置３を特定する識別情報を出力し、紛失したゲストカード１３が使用されたときの電気錠装置３からの警報情報により警報出力する。電気錠装置３は、端末装置１１とオンライン接続され、端末装置１１から識別情報を受信したときに、その識別情報を更新記憶するとともに、更新前の識別情報も記憶しておき、紛失したゲストカード１３の識別情報と更新前の識別情報とを比較して一致したときに、紛失したゲストカード１３が使用された旨を警報出力するとともに、紛失したゲストカード１３が使用された旨の警報情報を端末装置１１に送信する。【選択図】図１
2012140776.tif 000002
【特許請求の範囲】
【請求項１】
宿泊する客室の錠前の施解錠に必要な情報をカードに書き込んでゲストカードを発行するカード発行システムと、ホテルの客室毎に配設され、前記ゲストカードに記憶された情報を正常認証したときのみ前記錠前を施解錠する電気錠装置とを具備するホテルカードロックシステムにおいて、
前記ゲストカードを紛失して再発行されたときに、その再発行されたゲストカードが使用可能な電気錠装置を特定する識別情報を出力し、紛失したゲストカードが使用されたときの前記電気錠装置からの警報情報により警報出力する端末装置を備え、
前記電気錠装置は、前記端末装置とオンライン接続され、該端末装置から識別情報を受信したときに、その識別情報を更新記憶するとともに、更新前の識別情報も記憶しておき、紛失したゲストカードの識別情報と前記更新前の識別情報とを比較して一致したときに、紛失したゲストカードが使用された旨を警報出力するとともに、紛失したゲストカードが使用された旨の警報情報を前記端末装置に送信することを特徴とするホテルカードロックシステム。
【発明の詳細な説明】
【技術分野】
【０００１】
本発明は、チェックイン時に錠前の施解錠に必要な情報が予め記憶されたカードをキーとして用い、カード情報の正当性を判別し、カード情報を正常に認証したときのみ錠前を施解錠するホテルカードロックシステムに関するものである。
【背景技術】
【０００２】
従来、ホテルでは、客の宿泊時にチェックインからチェックアウトまでを１枚のカード（例えば磁気カードやＩＣカードなど）で管理するホテルカードロックシステムを採用している。
【０００３】
このホテルカードロックシステムでは、各客室のドアに配設されたエスカチオン（座金）にカード情報を読み取るためのカードリーダを組み込んだカードロックと称する電気錠装置が客室毎に装備されている。上記カード情報は、カードが使用可能な電気錠装置を特定する識別情報を含め、チェックイン／アウトの日時や客室番号などの錠前の施解錠に必要な情報である。このカード情報は、客がホテルにチェックインした際に発行されるゲストカードに対し、ホテル従業員がカード発行システムの端末装置を操作することで書き込まれ、記憶されるようになっている。尚、識別情報としては、例えばゲストカードを発行した登録日日時、登録順序を示す通し番号（シーケンスＮｏ）などが用いられる。
【０００４】
そして、客がホテルに宿泊する場合には、フロントでチェックインの手続きを済ませると、上記カード発行システムによって発行された１枚のゲストカードがホテル従業員から宿泊客に手渡される。ゲストカードが手渡された宿泊客は、宿泊する部屋の電気錠装置のカード読取部にゲストカードを翳す操作を行うと、そのゲストカード内の情報が読み込まれる。そして、電気錠装置は、読み込んだカード情報を正常認証すると、その部屋のドアの錠前を解錠制御する。これにより、その部屋のドアの開放が可能となり、ゲストカードを所有する宿泊客はその部屋に入室することができる。尚、下記特許文献１には、上記のように各種情報が記憶されたカードを用いて入退室を管理するシステムが開示されている。
【０００５】
ところで、上述したホテルカードロックシステムでは、宿泊者がゲストカードを誤って紛失した場合、そのゲストカードが第三者に使用されて盗難被害にあう恐れがある。このため、宿泊者がゲストカードを紛失した場合には、宿泊者からゲストカードを紛失した旨がホテル従業員に伝えられると、ホテル従業員がカード発行システムの端末装置を操作し、新しい識別情報によるゲストカードを再発行していた。そして、ホテル従業員は、再発行されたゲストカードを所持して宿泊客と一緒に客室に出向き、再発行されたゲストカードをその客室の電気錠装置のカード読取部に翳す操作を行う。これにより、再発行されたゲストカード内の識別情報が電気錠装置に読み込まれ、電気錠装置の識別情報が更新され、紛失したゲストカードによる使用を防いでいた。
【先行技術文献】
【特許文献】
【０００６】
【特許文献１】特開平９−２９７８６５号公報
【発明の概要】
【発明が解決しようとする課題】
【０００７】
しかしながら、従来のホテルカードロックシステムでは、ゲストカードを紛失した場合、紛失したゲストカードを使用できなくするために、新しい識別情報によるゲストカードを再発行し、再発行されたゲストカードを所持して客室まで出向き、再発行されたゲストカードを用いて電気錠装置内の識別情報を更新させる必要があり、ホテル従業員にとって手間と労力を要するという問題があった。
【０００８】
しかも、従来のホテルカードロックシステムでは、紛失したゲストカードが使用された場合であっても、特に警報表示などを行っていなかったので、十分なセキュリティが確保できていなかった。
【０００９】
そこで、本発明は上記問題点に鑑みてなされたものであり、紛失したゲストカードが使用される危険性を低減することができるホテルカードロックシステムを提供することを目的とするものである。
【課題を解決するための手段】
【００１０】
上記した目的を達成するために、請求項１に記載されたホテルカードロックシステムは、宿泊する客室の錠前の施解錠に必要な情報をカードに書き込んでゲストカードを発行するカード発行システムと、ホテルの客室毎に配設され、前記ゲストカードに記憶された情報を正常認証したときのみ前記錠前を施解錠する電気錠装置とを具備するホテルカードロックシステムにおいて、
前記ゲストカードを紛失して再発行されたときに、その再発行されたゲストカードが使用可能な電気錠装置を特定する識別情報を出力し、紛失したゲストカードが使用されたときの前記電気錠装置からの警報情報により警報出力する端末装置を備え、
前記電気錠装置は、前記端末装置とオンライン接続され、該端末装置から識別情報を受信したときに、その識別情報を更新記憶するとともに、更新前の識別情報も記憶しておき、紛失したゲストカードの識別情報と前記更新前の識別情報とを比較して一致したときに、紛失したゲストカードが使用された旨を警報出力するとともに、紛失したゲストカードが使用された旨の警報情報を前記端末装置に送信することを特徴とする。
【発明の効果】
【００１１】
本発明に係るホテルカードロックシステムによれば、ゲストカードを紛失した際に、客室まで出向く必要がなく、電気錠装置の識別情報を更新できるので、ホテル従業員の負担を軽減でき、紛失したゲストカードが使用される危険性を低減することができる。しかも、紛失したゲストカードが第三者によって使用された場合でも、電気錠装置と端末装置の両方で警報を出力するので、紛失したゲストカードが使用された客室の周囲だけでなくフロントのホテル従業員にも知らせることができ、ゲストカード紛失時のセキュリティの向上を図ることができる。
【図面の簡単な説明】
【００１２】
【図１】本発明に係るホテルカードロックシステムの概略構成を示すブロック図である。
【図２】ゲストカード再発行時の識別情報更新に関する概略説明図である。
【図３】紛失したゲストカード使用時の警報表示に関する概略説明図である。
【発明を実施するための形態】
【００１３】
以下、本発明を実施するための形態について、添付した図面を参照しながら詳細に説明する。図１は本発明に係るホテルカードロックシステムの概略構成を示すブロック図、図２は同システムによるゲストカード再発行時の識別情報更新に関する概略説明図、図３は同システムによる紛失したゲストカード使用時の警報表示に関する概略説明図である。
【００１４】
本発明に係るホテルカードロックシステムは、チェックイン時に錠前の施解錠に必要な情報が予め記憶されたカード（例えば磁気カードや非接触ＩＣカード等）をキーとして用い、このキーに記憶された情報の正当性を判別し、正常に認証したときのみ錠前を施解錠するものであって、特に、ゲストカード紛失時のソフトウェア処理の改善を図ったものである。
【００１５】
図１に示すように、本例のホテルカードロックシステム１は、カード発行システム２と、電気錠装置（カードロック）３とから構築される。
【００１６】
まず、カード発行システム２の構成について説明する。カード発行システム２は、端末装置（カード発行制御器）１１と、端末装置１１に接続されるカード発行機１２とから構成される。
【００１７】
端末装置１１は、例えばホテルのフロントに設置されるパソコンなどで構成され、カード発行機１２が接続されるとともに、電気錠装置３との間で相互に通信可能にオンライン接続されている。
【００１８】
さらに説明すると、端末装置１１は、図１に示すように、情報入力部１１ａ、表示部１１ｂ、カード発行制御部１１ｃ、通信部１１ｄ、情報判別処理部１１ｅを備えている。
【００１９】
情報入力部１１ａは、例えばキーボード、マウスなどのポインティングデバイスで構成され、表示部１１ｂに表示されるカード発行画面の指示に従って、ゲストカード１３を含む各種カードの発行に必要なカード発行機１２に送るための各種データ入力を行っている。
【００２０】
表示部１１ｂは、例えば液晶表示器などで構成され、カード発行画面、発行履歴情報の表示などを行っている。尚、表示部１１ｂは、情報判別処理部１１ｅからの警報指令によるエラーメッセージの表示を行う警報出力部を兼ねている。
【００２１】
カード発行制御部１１ｃは、カード発行の権限が与えられたホテル従業員によって情報入力部１１ａが操作されたときの各種入力データに基づいて電気錠装置３の解錠（施解錠）に必要な情報をカード発行機１２に出力し、ゲストカード１３を含む各種カードの発行を指示している。
【００２２】
通信部１１ｄは、有線又は無線により電気錠装置３との間で通信し、相互に情報のやり取りを行っている。具体的には、カード発行制御部１１ｃの指示によりゲストカード１３を再発行したときに、そのゲストカード１３の識別情報を含め、ゲストカード１３を再発行した旨を示すカード再発行情報を該当する電気錠装置３に送信している。
【００２３】
情報判別処理部１１ｅは、通信部１１ｄを介して電気錠装置３から警報情報が入力されると、紛失したゲストカード１３が電気錠装置３で使用されたと判別し、警報指令を出力している。そして、この警報指令により、紛失したゲストカード１３が電気錠装置３で使用された旨のエラーメッセージを表示部１１ｂにポップアップ表示したり、端末装置１１の不図示のブザーを鳴動してホテル従業員に知らせる。
【００２４】
カード発行機１２は、端末装置１１に接続され、端末装置１１の情報入力部１１ａの操作による入力データに基づき、識別情報を含め、電気錠装置３の解錠（施解錠）に必要な情報（客室番号、チェックイン日時、チェックアウト日時など）を磁気カードや非接触ＩＣカードに書き込んでゲストカード１３を発行している。
【００２５】
ここで、識別情報とは、ゲストカード１３が利用可能な電気錠装置３を特定する情報であり、例えばゲストカード１３を発行した登録日日時、登録順序を示す通し番号（シーケンスＮｏ）などが用いられる。
【００２６】
尚、カード発行機１２は、上記ゲストカード１３の他、エマージェンシーカード（災害時や非常時等に、ホテル内全ての電気錠装置３を連続解錠状態にするカード）、マスターカード（ホテル内全ての電気錠装置３を解錠することができるカード）、サブマスターカード（客室範囲、時間範囲に従い電気錠装置３を解錠できるカード）、ハウスキーピングロックアウトカード（宿泊者を入室できないようにするカード）、マスターロックアウトカード（管理者を含めた宿泊者を入室できないようにするカード）、キャンセルカード（ロックアウト、マスターロックアウト状態を解除するカード）、スタンバイカード（停電等のトラブルでカード発行ができなくなった場合に、ゲストカードの代わりに渡すカード）、メンテナンスカード（客室修繕等で、工事業者に渡すカード）、マスターオーソリゼーションカード（各種のカードの発行する権限を持つ発行許可カード）を、端末装置１１の情報入力部１１ａからの操作に基づき必要に応じて発行している。
【００２７】
次に、電気錠装置３の内部構成について説明する。電気錠装置３は、図１に示すように、カード情報取得部３ａ、通信部３ｂ、識別情報記憶部３ｃ、情報判別処理部３ｄ、錠前制御部３ｅ、錠前機構３ｆ、警報部３ｇを備えている。
【００２８】
カード情報取得部３ａは、周知のカードリーダライタで構成され、宿泊客が所持するゲストカード１３が読取部に翳されたときに、このゲストカード１３からカード情報を取得し、取得したカード情報を情報判別処理部３ｄに出力している。
【００２９】
通信部３ｂは、有線又は無線により端末装置１１との間で通信し、相互に情報のやり取りを行っている。具体的には、紛失したゲストカード１３が電気錠装置３で使用されたと情報判別部３ｄが判別したときに、その旨を示す警報情報を端末装置１１に送信している。
【００３０】
識別情報記憶部３ｃは、ゲストカード１３が利用可能な電気錠装置３を特定する識別情報を記憶している。この識別情報記憶部３ｃは、情報判別処理部３ｄが通信部３ｂを介して端末装置１１から識別情報を含むカード再発行情報を取得したときに、現在の識別情報が、カード再発行情報に含まれる識別情報に更新記憶される。その際、識別情報記憶部３ｃは、更新前のゲストカード紛失時の識別情報も一緒に記憶している。
【００３１】
情報判別処理部３ｄは、カード情報取得部３ａがゲストカード１３から取得したカード情報が入力されると、このカード情報と、識別情報記憶部３ｃに記憶された識別情報とを比較し、両者が一致してカード情報を正常認証したときに、錠前を解錠する旨の解錠指令を錠前制御部３ｅに出力している。
【００３２】
また、情報判別処理部３ｄは、通信部３ｂを介して端末装置１１からゲストカード１３が再発行された旨の情報（識別情報を含む）が入力されると、識別情報記憶部３ｃの識別情報を再発行されたゲストカード１３の識別情報に更新記憶している。
【００３３】
さらに、情報判別処理部３ｄは、ゲストカード１３から読み取ったカード情報が識別情報と一致しなければ、カード情報と紛失したゲストカード１３の識別情報とを比較し、両者が一致するか否かを判別している。そして、情報判別処理部３ｄは、両者が一致したときに、紛失したゲストカード１３が電気錠装置３で使用された旨の警報情報を通信部３ｂを介して端末装置１１に出力するとともに、警報部３ｇに警報指令を出力している。
【００３４】
尚、情報判別部３ｄは、ゲストカード１３から読み取ったカード情報が識別情報記憶部３ｃに記憶された識別情報及び紛失したゲストカード１３の識別情報と一致しないときには、宿泊客が誤って別の客室の電気錠装置３にゲストカード１３を翳したおそれがあるため、ゲストカード１３から読み取ったカード情報を無視する。
【００３５】
錠前制御部３ｅは、情報判別部３ｄから解錠指令が入力されると、錠前を解錠するべく錠前機構３ｆに解錠制御信号を出力している。
【００３６】
錠前機構３ｆは、施錠・閉扉時に、錠前制御部３ｅから解錠制御信号が入力されると、錠前を解錠制御している。尚、本例では、解錠・閉扉後に所定時間が経過すると、自動的に錠前が施錠されるオートロックシステムを採用している。
【００３７】
警報部３ｇは、例えばブザーや表示器などで構成され、情報判別部３ｃから警報指令が入力されると、ブザーを鳴動したり、表示器の点灯仕様を変えて異常点灯し、紛失したゲストカード１３が使用された旨を周囲に知らせる。
【００３８】
このように、上記構成によるホテルカードロックシステム１では、客がホテルに宿泊するにあたって、フロントでのチェックイン手続きを済ませると、カード発行システム２によるゲストカード１３の発行が行われる。ゲストカード１３の発行は、カード発行の権限が与えられたホテル従業員が端末装置１１の情報入力部１１ａを操作して必要なデータを入力し、このデータ入力に基づいてカード発行機１２が電気錠装置３の解錠（施解錠）に必要な情報を磁気カードや非接触ＩＣカードに書き込むことで行われる。そして、カード発行システム２によって１枚のゲストカード１３が発行されると、この発行されたゲストカード１３がホテル従業員から宿泊客に手渡される。
【００３９】
ゲストカード１３が手渡された宿泊客は、宿泊する部屋の電気錠装置３のカード情報取得部３ａにゲストカード１３を翳すと、カード情報取得部３ａがカード情報を取得する。電気錠装置３は、取得したカード情報を正常認証すると、その部屋のドアの錠前を解錠制御する。これにより、その部屋のドアの開放が可能となり、ゲストカード１３を所有する宿泊客はその部屋に入室することができる。
【００４０】
次に、本例のホテルカードロックシステム１によるゲストカード１３の再発行時の識別情報更新に関する処理について図２を参照しながら簡単に説明する。
【００４１】
宿泊客が宿泊中にゲストカード１３を紛失した場合、その旨がホテル従業員に伝えられると、ホテル従業員は、カード発行機１２に新しいカードを置き、端末装置１１の情報入力部１１ａから必要なデータ入力を行い、識別情報が更新されたゲストカード１３を再発行する。このとき、端末装置１１からは、該当する電気錠装置３に対してゲストカード１３が再発行された旨の情報がゲストカード１３の再発行時の識別情報とともに送信される。電気錠装置は、端末装置１１からゲストカード１３が再発行された旨の情報を受けると、その情報に含まれる識別情報によって識別情報記憶部３ｃに記憶されている識別情報を更新記憶する。その際、更新前の識別情報、すなわち紛失したゲストカード１３の識別情報も記憶しておく。これにより、カード発行システム２でゲストカードの再発行を行った際に、電気錠装置３の識別情報も一緒に更新される。
【００４２】
次に、本例のホテルカードロックシステム１による紛失カード使用時の警報表示に関する処理について図３を参照しながら簡単に説明する。
【００４３】
紛失したゲストカード１３が第三者によって使用された場合は、電気錠装置３と端末装置１１のそれぞれで警報出力する。さらに説明すると、電気錠装置３は、紛失したゲストカード１３がカード情報取得部３ａに翳されると、そのゲストカード１３のカード情報を取得して情報判別処理部３ｄに出力する。情報判別処理部３ｄは、カード情報取得部３ａからのカード情報の識別情報と、識別情報記憶部３ｃの更新前の識別情報とを比較し、両者が一致したときに、紛失したゲストカード１３が使用されたと判別し、警報部３ｇに警報指令を出力する。このとき、錠前機構３ｆは施錠状態を保持している。そして、警報部３ｇは、情報判別処理部３ｄから警報指令が入力されると、ブザーを鳴動したり、表示器の点灯仕様を変えて異常点灯し、紛失したゲストカード１３が使用された旨を周囲に知らせる。これにより、電気錠装置３側で警報出力がなされる。
【００４４】
また、電気錠装置３は、上記電気錠装置３側での警報出力に並行して、紛失したゲストカード１３が使用されたと情報判別処理部３ｄが判別したときに、紛失したゲストカードが使用された旨の警報情報を、通信部３ｂを介して端末装置１１に送信する。端末装置１１は、電気錠装置３から通信部１１ｄを介して警報情報を受信すると、その警報情報を情報判別処理部１１ｅに出力する。情報判別処理部１１ｅは、通信部１１ｄから警報情報が入力されると、例えば表示部１１ｂにエラーメッセージをポップアップ表示させたり、ブザーを鳴動し、紛失したゲストカードが電気錠装置３で使用されたことをホテル従業員に知らせる。これにより、紛失したゲストカード１３が電気錠装置３で使用されたことを端末装置１１にも知らせ、端末装置１１側でも警報出力がなされる。
【００４５】
このように、本発明に係るホテルカードロックシステム１では、ゲストカード１３を紛失した際のカード再発行時に、再発行したゲストカード１３の識別情報を含むカード再発行情報が電気錠装置３に送信され、電気錠装置３の識別情報記憶部３ｃが記憶している識別情報が自動的に更新される。これにより、ホテル従業員は、ゲストカード１３の再発行時に、識別情報の更新対象となる電気錠装置３が設置された客室までわざわざ出向く必要がなく、作業の簡略化が図れ、ホテル従業員にかかる負担が軽減し、紛失したゲストカード１３が使用される危険性を低減することができる。
【００４６】
また、紛失したゲストカード１３が第三者によって電気錠装置３に使用された場合には、その電気錠装置３で警報出力されると同時に、紛失したゲストカード１３が使用された旨がフロントの端末装置１１にもオンラインで通知され、端末装置１１側でも警報出力される。これにより、紛失したゲストカード１３が第三者に使用されたことを客室の周囲だけでなく、フロントのホテル従業員にも知らせることができ、ゲストカード紛失時のセキュリティの向上を図ることができる。
【００４７】
ところで、上述した実施の形態における電気錠装置３は、解錠・閉扉から所定時間後に自動的に施錠されるものとし、解錠のみにゲストカード１３を使用する場合を例にとって説明したが、電気錠装置３の解錠及び施錠にゲストカード１３を使用する形態であっても良い。
【００４８】
また、上述した実施の形態では、カード発行システム２に含まれる端末装置１１と各客室の電気錠装置３との間がオンライン接続され、識別情報を含むカード再発行情報や警報情報のやり取りを行う構成として説明したが、カード発行システム２とオンライン接続される管理用の端末装置と電気錠装置３との間で直接又は端末装置１１を介して情報のやり取りを行う構成とすることもできる。
【符号の説明】
【００４９】
１  ホテルカードロックシステム
２  カード発行システム
３  電気錠装置（カードロック）
３ａ  カード情報取得部
３ｂ  通信部
３ｃ  識別情報記憶部
３ｄ  情報判別処理部
３ｅ  錠前制御部
３ｆ  錠前機構
３ｇ  警報部
１１  端末装置（カード発行制御器）
１１ａ  情報入力部
１１ｂ  表示部
１１ｃ  カード発行制御部
１１ｄ  通信部
１１ｅ  情報判別処理部
１２  カード発行機
１３  ゲストカード
【図１】
2012140776.tif 000003
【図２】
2012140776.tif 000004
【図３】
2012140776.tif 000005